(57)【要約】【課題】本発明は、将来、間取り変更しても、横枝管を自由に配管できるようにした排水集合管を提供することを目的とする。【解決手段】上下に縦管接続部５，６を有する胴部７を備え、この胴部７に少なくとも３個の横枝管接続部９が、同一水平面内で且つ９０°の位相差をもって配置され、前記各横枝管接続部９は、内径７５ｍｍ以上の横枝管１１を接続可能とすものである排水集合管において、前記３個の横枝管接続部９の各々は、便器用横枝管１１ａ、台所用横枝管１１ｂ、及びその他の雑排水用横枝管１１ｃの接続部とされている。【選択図】      図１
2004169329.tif 000002
【特許請求の範囲】
【請求項１】
住戸の内外を仕切る壁を挟んだ外側に、縦管と縦方向へ連結した状態で排水集合管が設けられ、この排水集合管には上下に縦管接続部が設けられた胴部とこの胴部に対して同一水平面内で互いに９０°の位相差をおいて設けられた少なくとも３個の横枝管接続部とを有し且つこれら各横枝管接続部がいずれも内径７５ｍｍ以上の横枝管との接続を可能にして便器用、台所用、及びその他の雑排水用として自由な選択が可能になっているものが用いられ、
この排水集合管の横枝管接続部には、上記壁に設けられた貫通部へ向けて横枝管が接続され、この横枝管の管端部が住戸内に臨んで設けられていることを特徴とするフリープラン対応の配管システム。
【請求項２】
前記排水集合管及び横枝管の接続が住戸内の間取り完成前に終了されたものであることを特徴とする請求項１記載のフリープラン対応の配管システム。
【請求項３】
前記排水集合管に接続される少なくとも３本の横枝管は、同一方向を指向した状態で壁の貫通部へ挿通されていることを特徴とする請求項１又は請求項２記載のフリープラン対応の配管システム。
【請求項４】
前記排水集合管に接続される少なくとも３本の横枝管のうち、２本の横枝管は同一方向を指向した状態で壁の貫通部へ挿通され、他の横枝管はそれとは９０°異なる方向を指向した状態で壁の別の貫通部へ挿通されていることを特徴とする請求項１又は請求項２記載のフリープラン対応の配管システム。
【請求項５】
住戸内の間取りを完成させる前に、住戸の内外を仕切る壁を挟んだ外側で、この壁に設けられた貫通部に対応させて排水集合管が位置付けられるように縦管と排水集合管とを縦方向へ連結配管し、この排水集合管に上記貫通部を挿通する横枝管を接続しておくことを特徴とするフリープラン対応の配管施工方法。
【発明の詳細な説明】
【０００１】
【発明の属する技術分野】
本発明は、中・高層集合住宅等の生活排水設備として採用可能なフリープラン対応の配管システム及び配管施工方法に関するものである。
【０００２】
【従来の技術】
中・高層集合住宅等の生活排水設備は、各住戸毎に、便器、浴槽、台所、洗濯機などの機器に接続された複数の横枝管を、排水集合管を介して一本の縦管に集めて排水するようにされている。
このような排水設備として、全ての横枝管を一つの排水ヘッダーに接続し、この排水ヘッダーを縦管に接続するものが公知である（例えば特許文献１〜３参照）。殊に、この排水ヘッダーを用いるうえで、大便器などに接続される汚水用横枝管と他の排水用横枝管とを区別して集合管に接続することも知られている（例えば特許文献４参照）。
【０００３】
図１１及び図１２は、このような排水ヘッダーを用いた従来の配管システムの一例を示している。
図１１に示した配管システムでは、住戸の内外を仕切る壁１００を挟んだ外側にパイプスペース１０１が設けられ、このパイプスペース１０１内で縦管と組み合わせて排水集合管１０２が設けられたうえで、この排水集合管１０２に対して排水ヘッダー１０３が接続された状態にある。
そして、この排水ヘッダー１０３から、壁１００に設けられた防火区画貫通部等の貫通部を介して台所用、及びその他の雑排水用としての細径（内径５０ｍｍ程度）の横枝管１０４が接続された状態になっている。また、便器用とする太径（内径７５ｍｍ以上）の横枝管１０５については、排水ヘッダー１０３を介さず、直接に排水集合管１０２へ接続したものとなっている。
【０００４】
これに対し、図１２に示した配管システムでは、パイプスペース１００内に設けられた排水集合管１０１から、壁１００の貫通部を介して住戸内へ複数本の太径の横枝管１０５，１０６が設けられたうえで、これらのうち一方（１０６）に、住戸内の床下部分で排水ヘッダー１０７が接続されており、この排水ヘッダー１０７に台所用、及びその他の雑排水用としての細径の横枝管１０４が接続された状態になっている。また、これとは他方側の横枝管（１０５）が便器用として接続されている。
【０００５】
なお、従来、排水集合管には、横枝管内を清掃するための点検口を設けたものが知られており（例えば特許文献５参照）、またこれとは別に、排水集合管として、上下に縦管接続部を有する胴部を備え、この胴部に横枝管接続部の３個が、同一水平面内で且つ９０°の位相差をもって配置されたものが公知である（例えば特許文献６参照）。
【０００６】
【特許文献１】
特開２００１−３０３６３７号公報
【特許文献２】
特開２００２−８１１１４号公報
【特許文献３】
特開２００２−１０６０１１号公報
【特許文献４】
特開２００２−１４６８７２号公報
【特許文献５】
特開平１−１２１４１９号公報
【特許文献６】
特開平８−８５９８９号公報
【０００７】
【発明が解決しようとする課題】
前記従来の配管システムでは、新築時の間取りや器具配置によって横枝管１０４，１０５，１０６等の配置や管径種が決定されている。住戸の床下スペースは限られていることから、横枝管１０４，１０５，１０６等を上下で交差させることはできないので、住戸内のリニューアル時や、器具の配置換えをする場合、横枝管１０４，１０５，１０６等の配置を自由に変更するということは困難であった。
【０００８】
なお、図１１や図１２から明らかなように、排水ヘッダー１０３，１０７を用いた場合には当然ながら、この排水ヘッダー１０３，１０７で複数本の横枝管１０４が合流することになるが、このようになると台所など、汚れの付着が顕著となる横枝管では管内洗浄が非常にやりにくくなるといった弊害も生じることになってしまう。
例えば、住戸内における便器、台所、雑排水の器具配置が当初、図１３（ａ）に示すようになっていたとして、将来的に便器と台所を入れ替えようとすると、図１３（ｂ）に示すように便器用の太径横枝管１０５を大きく回遊させる必要が生じてしまう。
【０００９】
同様に、便器、台所、雑排水の器具配置が当初、図１４（ａ）に示すようになっていたとして、将来的に便器、台所、雑排水の全てを入れ替えようとすると、図１４（ｂ）に示すように、便器用の太径横枝管１０５だけでなく、その他の横枝管１０４等についても大きく回遊させ、且つ複雑に曲げた配管とさせる必要が生じてしまう。
なお、このような器具の配置換えに伴う配管変更が仮に可能であったとしても、台所など、汚れの付着が顕著となる横枝管１０４では配管長が長くなることにより、やはり上記したように管内洗浄が非常にやりにくくなるといった弊害も生じることになってしまう。
【００１０】
そこで、本発明は、将来、住戸内の間取り変更などによって器具の配置換えが必要になる場合でも、横枝管を自由に配管できるようにしたフリープラン対応の配管システム及び配管施工方法を提供することを目的とする。
【００１１】
【課題を解決するための手段】
前記目的を達成するため、本発明は次の手段を講じた。
即ち、本発明に係るフリープラン対応の配管システムは、住戸の内外を仕切る壁を挟んだ外側に、縦管と縦方向へ連結した状態で排水集合管が設けられたものである。
そして、これに使用される排水集合管は、上下に縦管接続部が設けられた胴部と、この胴部に対して同一水平面内で互いに９０°の位相差をおいて設けられた少なくとも３個の横枝管接続部とを有したものであって、且つ、これら各横枝管接続部がいずれも内径７５ｍｍ以上の（太径）横枝管との接続を可能にしたものである。
【００１２】
すなわち、この排水集合管では、どの横枝管接続部に対しても、接続できる横枝管として便器用のもの（太径のもの）とすることができることになり、その結果、サイズダウン用のレジューサ継ぎ手を併用すれば、台所用やその他の雑排水用としての細径の横枝管も接続できることになるのである。
結果として、この排水集合管では、各横枝管接続部に対して接続する横枝管として、便器用、台所用、及びその他の雑排水用のものを自由に選択できることになる。
【００１３】
そして、この排水集合管が使用される状況として、その横枝管接続部には、上記壁に設けられた防火区画貫通部等の貫通部へ向けて横枝管が接続され、この横枝管の管端部が住戸内に臨んで設けられたものとなっているものである。
なお、ここで言う「横枝管」は、太径のものとするのが好適である。従って、サイズダウン用のレジューサ継ぎ手は、住戸内側となる床下スペース等で接続するのが好適となる。
このような構成であると、住戸の新築の際、或いはリニューアルへ向けて住戸内の間取りが決定乃至完成されていない段階であっても、縦管、排水集合管、及び壁の貫通部を挿通する範囲での横枝管までを含めた配管システムとして、先に配管工事を進めておくことができる。
【００１４】
しかも、住戸内において一旦、器具配置が決定され、これら個々の器具配置に応じた配管が終わった後でも、リニューアル時などにこれらの器具配置を自由に変更することができる。
勿論、このときには、制限された床下スペース内で横枝管相互を上下に交差させることなく、シンプルに（曲げ箇所を少なく且つ配管長を短く）配管させることができる。
また、この排水集合管では、便器用、台所用、及びその他の雑排水用の横枝管を自由に接続することのできる複数の横枝管接続部を有しているのであるから、これを換言すれば、便器用の横枝管、台所用の横枝管、及びその他の雑排水用の横枝管は、それぞれ別個独立のものとして排水集合管（縦管）へ直接に接続できるということになる。
【００１５】
そのため、いずれの横枝管に対しても必要に応じて管内洗浄をやりやすくなるといった利点が得られる。
上記したように、本発明に係るフリープラン対応の配管システムは、排水集合管及び横枝管の接続が住戸内の間取り完成前に終了されたものとすることができる。
そのため、住戸側の建築工事との先後関係が拘束されないものとなり、住戸の総合的な施工期間を短縮できる効果や、施工作業の容易化及びコストダウンにも繋がるといった効果を期待することができる。
【００１６】
排水集合管に接続される少なくとも３本の横枝管は、同一方向を指向した状態で壁の貫通部へ挿通されているものとすればよい。
これは、住戸の内外を仕切る壁が一つの平面となっており、ここに全ての貫通部が並んでいる場合への対応である。
これとは異なり、排水集合管に接続される少なくとも３本の横枝管のうち、２本の横枝管は同一方向を指向した状態で壁の貫通部へ挿通されたものとし、他の横枝管はそれとは９０°異なる方向を指向した状態で壁の別の貫通部へ挿通されているものとしてもよい。
【００１７】
これは、住戸の内外を仕切る壁が鉤形に折れ曲がっており、この折れ曲がったコーナー部を挟んで２カ所の貫通部と、他の貫通部とが振り分けられている場合への対応である。
一方、本発明に係るフリープラン対応の配管施工方法は、住戸内の間取りを完成させる前に、住戸の内外を仕切る壁を挟んだ外側で、この壁に設けられた貫通部に対応させて排水集合管が位置付けられるように縦管と排水集合管とを縦方向へ連結配管し、この排水集合管に上記防火区画貫通部を挿通する横枝管を接続しておくものである。
【００１８】
【発明の実施の形態】
以下、本発明の実施の形態を、図面に基づき説明する。
図１乃至図３に示すものは、本発明の第１の実施の形態である。
図３に示す如く、高層集合住宅の各フロアーには、各住戸毎にパイプスペース１が設けられている。このパイプスペース１は、共用スペースである廊下側に設けられている。
図１、２に示す如く、前記パイプスペース１に排水集合管２と縦管３とが配置されている。排水集合管２は、各フロアーのスラブ４に保持され、上下に縦管接続部５、６を有する胴部７を備えている。上部の縦管接続部５は、縦管３の下部の差口を受け入れる受口に形成され、下部の縦管接続部６は、縦管３の上部の受口が挿入される差口に形成されている。
【００１９】
上部縦管接続部５の下部の胴部７は、径の大な大径部８とされている。この大径部８は、直交平面を有する箱形に形成されている。この大径部８に３個の横枝管接続部９が、同一水平面内で且つ９０°の位相差をもって配置されている。即ち、箱形直交３平面のそれぞれに、横枝管接続部９が設けられている。この大径部８の下方の胴部７は、下方に至るに従って径小となるテーパ部１０に形成され、このテーパ部１０の下端が前記下部縦管接続部６とされている。
前記横枝管接続部９は、その根本部が前記箱形直交３平面より一体的に突出成形されている。そして、横枝管接続部９の先端部は横枝管１１が差し込まれる受口とされた接続口１２に形成されている。そして、３個の接続口１２は、同一方向を指向している。即ち、中央の横枝管接続部９は、大径部８の平面に直交して突出成形され、その左右の横枝管接続部９は、根本から先端に至る間、９０度方向転換をするように屈曲成形されて、各接続口１２は同じ方向を向いている。
【００２０】
前記各横枝管接続部９は、内径７５ｍｍ以上の横枝管１１を接続可能とすものである。この実施の形態では、前記各接続口１２は、内径７５ｍｍの横枝管１１を接合できるものとされている。そして、各接続口１２に、便器用横枝管１１ａ、台所用横枝管１１ｂ、及びその他の雑排水用横枝管１１ｃが接続される。雑排水として、風呂、洗面器、洗濯機からの排水が例示される。
図１に示す如く、便器用横枝管１１ａは、大便器まで内径７５ｍｍの管が用いられる。台所用横枝管１１ｂは、内径７５ｍｍの管から、サイズダウン用のレジューサ継ぎ手１３を介して内径５０ｍｍの管（図３参照）が接続されている。雑排水用横枝管１１ｃは、内径７５ｍｍの管から、レジューサ継ぎ手１３を介して内径６５ｍｍの排水ヘッダー１４（図３参照）が接続され、この排水ヘッダー１４に内径５０ｍｍの管が接続されている。前記横枝管１１は、図２に示す如く、スラブ４と床１５の間に配管される。
【００２１】
なお、前記テーパ部１０の内面に径内方向に突出する旋回羽根１６が形成されている。この旋回羽根１６は、３個の横枝管接続部９の内の中央の横枝管接続部９が設けられている側の内周面に、一枚だけ設けられている。この旋回羽根１６は、外側面側からみると、図２に示すように、外周面が凹む凹部１７により形成されている。この旋回羽根１６は、流下する排水に旋回を付与し、縦管中心部に通気用の空気コアを形成させるものである。
前記の実施の形態によれば、３個の横枝管接続部９の全てが、管径の一番大きな便器用横枝管１１ａを接続可能としているので、リニューアル時の間取り変更や器具の配置換えを行っても、横枝管１１の配置変更が容易になる。
【００２２】
また、新築時においても、間取りが決定していない時でも、先行して排水集合管２の施工ができる。
このように、横枝管１１の配管が自由に行えるので、従来、立体交差のための床下スペースを広くとっていたが、床下空間（高さ）を従来より小さくできる。また、従来は、リニューアル時、立体交差を行わない場合は、迂回配管をしなければならなかったが、迂回配管の必要がなくなるので、迂回配管に比べ、横枝管１１の長さを短くできる。
【００２３】
また、便器、台所、雑排水が、それぞれ排水集合管２と１対１で接続するため、衛生上優れた配管が達成される。
例えば、住戸内における便器、台所、雑排水の器具配置が当初、図４（ａ）に示すようになっていたとして（この図４（ａ）は前記した図１３（ａ）と器具配置が同じである）、将来的に便器と台所を入れ替える場合、図４（ｂ）に示すように排水集合管２に接続状態にある横枝管１１ａに対し、元の便器用太径横枝管１０５からレジューサ継ぎ手１３及び台所用細径横枝管１０４へ付け替え、且つ排水集合管２に接続状態にある横枝管１１ｂに対し、元のレジューサ継ぎ手１３及び台所用細径横枝管１０４から便器用太径横枝管１０５へ付け替えるだけで済むことになる。
【００２４】
同様に、便器、台所、雑排水の器具配置が当初、図５（ａ）に示すようになっていたとして（この図５（ａ）は前記した図１４（ａ）と器具配置が同じである）、将来的に便器、台所、雑排水の全てを入れ替える場合、図５（ｂ）に示すように排水集合管２に接続状態にある横枝管１１ａに対し、元の便器用太径横枝管１０５からレジューサ継ぎ手１３及び台所用細径横枝管１０４へ付け替え、且つ排水集合管２に接続状態にある横枝管１１ｃに対し、元のレジューサ継ぎ手１３及び雑排水用細径横枝管１０４から便器用太径横枝管１０５へ付け替え、また元の台所用細径横枝管１０４を雑排水用として流用するだけで済むことになる。
【００２５】
図６に示すものは、前記実施の形態の変形例を示すものである。即ち、同図（ａ）は、前記第１の実施の形態を示す排水集合管２であり、同（ｂ）は、各横枝管接続部９に点検口１８を設けたものである。この点検口１８は、各横枝管接続部９の上面に穴を設け、この穴にプラグを螺合することで、点検口１８を開閉自在としたものである。この点検口１８より横枝管１１内の清掃を可能とする。この清掃方法は、前記従来技術に示したもの（特許文献５）と同じである。
図６（ｃ）に示すものは、前記点検口１８を、前記３個の横枝管接続部９の内、中央の横枝管接続部９に対向した位置の胴部７の大径部８に設けたものである。点検口１８から１１ａ，１１ｂ、１１ｃの３本の横枝管の清掃ができるようにしている。
【００２６】
同図（ｄ）に示すものは、中央の横枝管接続部９に対向した位置の大径部８に点検口１８を設けるとともに、その左右の横枝管接続部９の上面に点検口１８を設けたものである。
図６（ｅ）〜（ｊ）に示すものは、３個の接続口１２の内、２個の接続口１２は同一方向を指向し、他の接続口１２はそれとは９０°異なる方向を指向しているものである。そして、点検口１８がそれぞれ異なる位置に設けられている例が示されている。
【００２７】
図７は、前記図６（ｅ）の排水集合管２を用いた、横枝管接続例の一例を示すものである。
図８及び図９に示すものは、３個の横枝管接続部９が、胴部７に一体成形されたものではなく、これとは別体のエルボ１９を接続することにより、前記一体成形のものと同じ機能を奏するようにしたものである。即ち、大径部８の３平面に接続口１２が、９０度の位相差をもって開口し、この接続口１２の左右のものの両方又は一方に、エルボ１９が接続されている。
【００２８】
図１０に示すものは、パイプスペース１が室内側に設けられたものであり、このような場合も、本発明は適用される。
なお、本発明は、前記実施の形態に示すものに限定されるものではなく、例えば、横枝管接続部９を周方向９０度間隔に４カ所設け、その内の一カ所は、将来の器具増設やリニューアルを考慮して、止水栓で封鎖しているものであってもよい。
【００２９】
【発明の効果】
本発明に係るフリープラン対応の配管システム及び配管施工方法によれば、便器用横枝管を、３個の横枝管接続部の何れでも接続することができるので、間取り変更や機器の配置換えを行っても、横枝管の配管を自由に変更することができるものである。
【図面の簡単な説明】
【図１】本発明の第１の実施の形態を示す平面図である。
【図２】図１のＡ−Ａ線矢視断面図である。
【図３】本発明に係る配管システムの一例を示す配管図である。
【図４】本発明に係る配管システムにおいて便器、台所、雑排水の器具配置のうち将来的に便器と台所を入れ替える場合を例示した模式図である。
【図５】本発明に係る配管システムにおいて便器、台所、雑排水の器具配置のうち将来的に便器、台所、及び雑排水の全てを入れ替える場合を例示した模式図である。
【図６】本発明の実施の形態を示す各種の排水集合管の平面図である。
【図７】本発明の他の実施の形態を示す平面図である。
【図８】本発明の他の実施の形態を示す平面図である。
【図９】本発明の他の実施の形態を示す平面図である。
【図１０】本発明の他の実施の形態における横枝管の配置の一例を示す配管図である。
【図１１】排水ヘッダーを住戸外に用いた従来の配管システムの一例を示す配管図である。
【図１２】排水ヘッダーを床下に用いた従来の配管システムの一例を示す配管図である。
【図１３】従来の配管システムにおいて便器、台所、雑排水の器具配置のうち将来的に便器と台所を入れ替える場合を例示した模式図である。
【図１４】従来の配管システムにおいて便器、台所、雑排水の器具配置のうち将来的に便器、台所、及び雑排水の全てを入れ替える場合を例示した模式図である。
【符号の説明】
２  排水集合管
３  縦管
５  上部縦管接続部
６  下部縦管接続部
７  胴部
９  横枝管接続部
１１  横枝管
１２  接続口
１８  点検口
【図１】
2004169329.tif 000003
【図２】
2004169329.tif 000004
【図３】
2004169329.tif 000005
【図４】
2004169329.tif 000006
【図５】
2004169329.tif 000007
【図６】
2004169329.tif 000008
【図７】
2004169329.tif 000009
【図８】
2004169329.tif 000010
【図９】
2004169329.tif 000011
【図１０】
2004169329.tif 000012
【図１１】
2004169329.tif 000013
【図１２】
2004169329.tif 000014
【図１３】
2004169329.tif 000015
【図１４】
2004169329.tif 000016